(57)【要約】【課題】  両端に指を添えることができる領域が大きく確保されて使い易く、また、一度に多くの毛髪を巻くことができ、毛髪の巻きこぼれが生じにくく、毛髪をゆるく巻いたり、縦巻きにすることが容易なヘアカーラーを提供すること。【解決手段】  この発明のヘアカーラーは、円筒状芯体１の外側に毛髪巻き体２を設けたヘアカーラーであって、両端に指を添えるための張り出し部Ｈを有しているものとしている。合成樹脂製の円筒状芯体１と毛髪巻き体２の間に金属体３を装着しているものとすることもできる。また、張り出し部Ｈが毛髪巻き体２と一連一体に構成されているものとすることができる。【選択図】  図１
2006141753.tif 000002
【特許請求の範囲】
【請求項１】
円筒状芯体（１）の外側に毛髪巻き体（２）を設けたヘアカーラーであって、両端に指を添えるための張り出し部（Ｈ）を有していることを特徴とするヘアカーラー。
【請求項２】
合成樹脂製の円筒状芯体（１）と毛髪巻き体（２）の間に金属体（３）を装着している請求項１記載のヘアカーラー。
【請求項３】
張り出し部（Ｈ）が毛髪巻き体（２）と一連一体に構成されている請求項１又は２記載のヘアカーラー。
【発明の詳細な説明】
【技術分野】
【０００１】
この発明は、毛髪を巻き付けることにより、頭にセットして使用することのできるヘアカーラーに関するものである。
【背景技術】
【０００２】
従来のヘアカーラーとしては、特許文献１に記載のような円筒状芯体の外側に毛髪巻き体を設けたものがあった。この種のヘアカーラーは、幅が６０ｍｍ〜６５ｍｍ程度と短いものであるため、同時に複数のヘアカーラーを使用する場合、互いにぶつからないように配置することができる。
【０００３】
しかし、その反面、両端に指を添えることができる領域が確保されておらず、使いづらいものであった。また、幅が短いため一度に多くの毛髪を巻くことができず、毛髪が広がると巻きこぼれが生じやすく、毛髪をゆるく巻いたり、縦巻きにすることには向いていなかった。
【特許文献１】特開２００１−２７５７３６号公報
【発明の開示】
【発明が解決しようとする課題】
【０００４】
そこで、この発明は、両端に指を添えることができる領域が大きく確保されて使い易く、また、一度に多くの毛髪を巻くことができ、毛髪の巻きこぼれが生じにくく、毛髪をゆるく巻いたり、縦巻きにすることが容易なヘアカーラーを提供することを課題とする。
【課題を解決するための手段】
【０００５】
この発明のヘアカーラーは、円筒状芯体１の外側に毛髪巻き体２を設けたヘアカーラーであって、両端に指を添えるための張り出し部Ｈを有しているものとしている。
【０００６】
合成樹脂製の円筒状芯体１と毛髪巻き体２の間に金属体３を装着しているものとすることもできる。
【０００７】
また、張り出し部Ｈが毛髪巻き体２と一連一体に構成されているものとすることができる。
【発明の効果】
【０００８】
この発明のヘアカーラーは、上述のような構成を有しており、両端に指を添えることができる領域が大きく確保されているため使い易く、また、一度に多くの毛髪を巻くことができ、毛髪の巻きこぼれが生じにくく、ゆるく巻いたり、縦巻きにすることが容易となっている。
【発明を実施するための最良の形態】
【０００９】
この発明のヘアカーラーは、円筒状芯体１の外側に毛髪巻き体２を設けたヘアカーラーであって、両端に指を添えるための張り出し部Ｈを有したものとしている。
【００１０】
以下、この発明の好適な実施形態を、図面を参照して説明する。
【００１１】
図１はこの発明の実施形態のヘアカーラーの斜視図、図２はヘアカーラーの一部切欠斜視図、図３はヘアカーラーの使用状態の説明図である。
【００１２】
図に示したヘアカーラーは、特許文献１に記載のヘアカーラーと同様に、合成樹脂製の円筒状芯体１に、金属体３を巻き付け、さらにその金属体３に毛髪巻き体２を巻き付けたものとすることにより、前記円筒状芯体１と毛髪巻き体２の間に金属体３を装着してなるものとしている。
【００１３】
円筒状芯体１は幅９０ｍｍ〜１３０ｍｍ、直径２５ｍｍ〜６０ｍｍ程度で、特に幅１０５ｍｍ、直径４０ｍｍ程度が好適である。幅が９０ｍｍ未満とすると、張り出し部Ｈの領域が小さくなり取り扱いにくく、また、毛髪の巻きこぼれが生じやすくなる。幅が１３０ｍｍより長くなると、長すぎて前髪や、頭頂部・後頭部の毛髪にセットしにくくなる。
【００１４】
円筒状芯体１は、合成樹脂の一体成形により、複数の長手方向の枠体４と横枠体５で仕切られた多数の通孔６を有したものとし、通気性を良くしたものとしているが、合成樹脂製の円筒状芯体１であれば、このように通気性を良くしたものに限られることはない。
【００１５】
金属体３は、前記円筒状芯体１に巻き付けることができるものとするのが好ましく、アルミニウム板、鉄板等の薄板とすることができるが、前記円筒状芯体１と毛髪巻き体２の間に装着できるものであればよい。また、この金属体３にも多数の通孔７を有したものとし、通気性を良くしたものとしている。
【００１６】
毛髪巻き体２は、表面に多数の細かいフック状の毛髪係止体８をネット９に密生させたものとして、前記金属体３に巻き付けることができるものとしているが、スポンジ状の筒体（図示せず）を被せるようにしたものとしてもよく、毛髪を巻き付けるようにしたものであれば特に限定されない。
【００１７】
毛髪係止体８は、両端の各２０ｍｍの領域には設けられておらず、この毛髪係止体８のない領域を指を添えるための張り出し部Ｈとしている。張り出し部Ｈの幅は適宜変更して実施することができる。
【００１８】
この発明のヘアカーラーは、図３に示したように、前髪や、頭頂部、後頭部、すそにセットすることができる。いずれにセットする場合でも、両端の張り出し部Ｈに指を添えて使用することができるので、極めて使い易い。しかも、幅が長いぶん毛髪の巻きこぼれが生じにくく、ゆるく巻いたり、すそを縦巻きにすることも容易である。
【００１９】
また、毛髪巻き体２に毛髪を巻き付けることにより、使用者の頭にセットし、毛髪にドライヤーの熱風を当てることにより、カール付けするのに時間が掛からず、充分なカール付けをすることができる。すなわち、毛髪に当てたドライヤーの熱風による温熱は金属体３に伝わって、この金属体３の温度が上昇する。この場合、金属体３は、円筒状芯体１と毛髪巻き体２の間に装着されているので、冷めにくく保温性の良いものとなり、ドライヤーの熱風が常に当たっていなくても、ヘアカーラー全体の温度が上昇したまま保たれる。したがって、毛髪巻き体２に巻き付けた毛髪は、時間が掛からず、充分なカール付けをすることができる。
【００２０】
さらに、この発明のヘアカーラーは、金属体３を薄いものとすることができるので、材料も少なくてすみ、製作や加工にも手間が掛からないものとなる。
【００２１】
図４は、この発明の他の実施形態のヘアカーラーの斜視図である。このヘアカーラーは、張り出し部Ｈが毛髪巻き体２と一連一体に構成されたものとしており、その他の構成は図１に示したヘアカーラーと同様である。このヘアカーラーは、毛髪係止体８が両端付近まで設けられており、毛髪を巻ける領域が広くなっているので、よりいっそう毛髪の巻きこぼれが生じにくく、ゆるく巻いたり、縦巻きにすることが容易になっている。
【図面の簡単な説明】
【００２２】
【図１】この発明の実施形態のヘアカーラーの斜視図である。
【図２】この発明の実施形態のヘアカーラーの一部切欠斜視図である。
【図３】この発明の実施形態のヘアカーラーの使用状態の説明図である。
【図４】この発明の他の実施形態のヘアカーラーの斜視図である。
【符号の説明】
【００２３】
１  円筒状芯体
２  毛髪巻き体
３  金属体
Ｈ  張り出し部
【図１】
2006141753.tif 000003
【図２】
2006141753.tif 000004
【図３】
2006141753.tif 000005
【図４】
2006141753.tif 000006